(57)【要約】【課題】簡単に足裏に付いた石鹸の泡や水を落して、浴槽に入ることができる、浴室を提供する。【解決手段】浴室ユニット１は、洗い場２と浴槽３との間に、洗い場２の床４ａよりも高くなった足踏み段部４ｂを備えている。そして、これら洗い場２の床４ａと足踏み段部４ｂとからなる床部４は、防水パン５によって形成されている。こうして、洗い場２で体を洗った際に、洗い場２の床４ａに落ちた石鹸の泡や水は、洗い場２の床４ａよりも高くなった足踏み段部４ｂに流れ込むことはない。【選択図】　図１
2004052219.tif 000002
【特許請求の範囲】
【請求項１】
洗い場と浴槽とを有する浴室であって、
その浴室の床部は、前記洗い場の床の他に、前記洗い場と前記浴槽との間の、前記洗い場の床よりも高くなった足踏み段部を備えることを特徴とする浴室。
【請求項２】
前記洗い場には、シャワー設備が備えられていることを特徴とする、請求項１に記載の浴室。
【請求項３】
前記足踏み段部は、前記洗い場側と前記浴槽側との境界部分のほぼ全体に渡って設けられていることを特徴とする、請求項１または２に記載の浴室。
【請求項４】
前記床部は、防水パンによって形成されていることを特徴とする、請求項１ないし３のいずれか１項に記載の浴室。
【請求項５】
前記防水パンは、前記洗い場の床から前記足踏み段部に移る立上り部で分割された、前記洗い場の床側の第１防水パンと、前記足踏み段部側の第２防水パンとを備えることを特徴とする、請求項４に記載の浴室。
【請求項６】
前記第１防水パンと前記第２防水パンには、互いの相対的な位置を決めるための位置決め手段が設けられていることを特徴とする、請求項５に記載の浴室。
【請求項７】
前記浴槽は、前記第２防水パンの上に配置されていることを特徴とする、請求項５または６に記載の浴室。
【請求項８】
前記洗い場の床には、足裏の指圧効果あるいはマッサージ効果を促す凹凸が形成されていることを特徴とする、請求項１ないし７のいずれか１項に記載の浴室。
【請求項９】
洗い場と浴槽とを有する浴室の、床部を形成する防水パンであって、
前記洗い場の床と、
前記洗い場と前記浴槽との間に位置し、前記洗い場の床よりも高くなった足踏み段部と、
を構成することを特徴とする防水パン。
【発明の詳細な説明】
【０００１】
【発明の属する技術分野】
この発明は、洗い場と浴槽とを備える浴室であって、足裏に付いた石鹸の泡や水を落して、浴槽に入ることができる浴室、およびその浴室の床部を形成する防水パンに関するものである。
【０００２】
【従来の技術および発明が解決しようとする課題】
従来、洗い場と浴槽とを備える浴室においては、それら洗い場と浴槽とが、並んで設けられていた。したがって、人が、洗い場で、体を洗った後に、浴槽に入る際に、洗い場に残った石鹸の泡や水が、足裏に付いたまま、浴槽に入ってしまうこともあった。
【０００３】
この発明は、上記した従来の欠点を解決するためになされたものであり、その目的とするところは、簡単に足裏に付いた石鹸の泡や水を落して、浴槽に入ることができる、浴室および防水パンを提供することにある。
【０００４】
【課題を解決するための手段】
この発明に係る浴室および防水パンは、前記目的を達成するために、次の構成からなる。すなわち、
請求項１に記載の発明に係る浴室は、洗い場と浴槽とを有する浴室であって、その浴室の床部は、前記洗い場の床の他に、前記洗い場と前記浴槽との間の、前記洗い場の床よりも高くなった足踏み段部を備える。こうして、洗い場と浴槽との間に、洗い場の床よりも高くなった足踏み段部が設けられており、洗い場で体を洗った際に、洗い場の床に落ちた石鹸の泡や水は、洗い場の床よりも高くなった足踏み段部に流れ込むことはない。そして、洗い場で体を洗った後に浴槽に入る際には、この足踏み段部に一端乗ってから、浴槽に入ることとなる。したがって、洗い場において、その洗い場の床に残った石鹸の泡や水が、足裏に付いていても、足踏み段部に一端乗ることで、その泡や水をある程度落とすことができる。そして、足裏から、泡や水が落ちた状態で、浴槽に入ることができる。
【０００５】
また、請求項２に記載の発明に係る浴室のように、請求項１に記載の浴室において、前記洗い場には、シャワー設備が備えられてもよい。これにより、洗い場でシャワーを浴びることができ、そして、そのシャワーを浴びた際に、洗い場の床に落ちた石鹸の泡や水は、洗い場の床よりも高くなった足踏み段部に流れ込むことはない。
【０００６】
また、請求項３に記載の発明に係る浴室のように、請求項１または２に記載の浴室において、前記足踏み段部は、前記洗い場側と前記浴槽側との境界部分のほぼ全体に渡って設けられるのが望ましい。これにより、洗い場から浴槽に入る際には、洗い場のどの位置からでも、足踏み段部に一端乗ってから浴槽に入ることができる。
【０００７】
また、請求項４に記載の発明に係る浴室のように、請求項１ないし３のいずれか１項に記載の浴室において、前記床部は、防水パンによって形成されてもよい。こうして、床部が防水パンによって形成されることで、この防水パンによって、洗い場の床と足踏み段部とが構成される。
【０００８】
また、請求項５に記載の発明に係る浴室のように、請求項４に記載の浴室において、前記防水パンは、前記洗い場の床から前記足踏み段部に移る立上り部で分割された、前記洗い場の床側の第１防水パンと、前記足踏み段部側の第２防水パンとを備えてもよい。こうして、防水パンが分割されることで、この防水パンの搬送や搬入が容易となる。しかも、この防水パンは、洗い場の床側の第１防水パンと、足踏み段部側の第２防水パンとに、洗い場の床から足踏み段部に移る立上り部で分割されており、その分割部分に水が溜まることがなく、防水パンの防水性を、容易に確保することができる。
【０００９】
また、請求項６に記載の発明に係る浴室のように、請求項５に記載の浴室において、前記第１防水パンと前記第２防水パンには、互いの相対的な位置を決めるための位置決め手段が設けられてもよい。このように、第１防水パンと第２防水パンとは、位置決め手段によって、互いの位置合わせが容易となり、この浴室の施工が簡単化される。
【００１０】
また、請求項７に記載の発明に係る浴室のように、請求項５または６に記載の浴室において、前記浴槽は、前記第２防水パンの上に配置されてもよい。このように、浴槽が、第２防水パンの上に配置されることから、浴槽回りの防水性を、この第２防水パンによって容易に確保することができる。
【００１１】
また、請求項８に記載の発明に係る浴室のように、請求項１ないし７のいずれか１項に記載の浴室において、前記洗い場の床には、足裏の指圧効果あるいはマッサージ効果を促す凹凸が形成されていてもよい。これにより、洗い場で、体を洗う際に、床に形成された凹凸によって、足裏の指圧効果やマッサージ効果が期待できる。特に、人が立った状態でシャワーを浴びているときには、前記凹凸による足裏への刺激が増し、足裏の指圧効果やマッサージ効果が促進される。
【００１２】
また、請求項９に記載の発明に係る防水パンは、洗い場と浴槽とを有する浴室の、床部を形成する防水パンである。そして、この防水パンが、前記洗い場の床と、足踏み段部とを構成する。ここで、足踏み段部は、前記洗い場と前記浴槽との間に位置し、前記洗い場の床よりも高くなっている。こうして、洗い場と浴槽との間に、洗い場の床よりも高くなった足踏み段部が設けられており、洗い場で体を洗った際に、洗い場の床に落ちた石鹸の泡や水は、洗い場の床よりも高くなった足踏み段部に流れ込むことはない。そして、洗い場で体を洗った後に浴槽に入る際には、この足踏み段部に一端乗ってから、浴槽に入ることとなる。したがって、洗い場において、その洗い場の床に残った石鹸の泡や水が、足裏に付いていても、足踏み段部に一端乗ることで、その泡や水をある程度落とすことができる。そして、足裏から、泡や水が落ちた状態で、浴槽に入ることができる。
【００１３】
【発明の実施の形態】
以下、この発明に係る浴室および防水パンの実施の形態を図面に基づいて説明する。
【００１４】
図１ないし図５は、本発明に係る浴室および防水パンを、浴室ユニットに適用した一実施の形態を示す。図中符号１は、浴室としての浴室ユニットであり、洗い場２と浴槽３とを有する。
【００１５】
ここで、浴室ユニット１の床部４は、洗い場２の床４ａの他に、洗い場２と浴槽３との間の、洗い場２の床４ａよりも高くなった足踏み段部４ｂを備えている。詳細には、足踏み段部４ｂは、洗い場２側と浴槽３側との境界部分のほぼ全体に渡って設けられている。そして、この浴室ユニット１の床部４は、防水パン５によって形成されている。こうして、床部４が防水パン５によって形成されることで、この防水パン５によって、前記洗い場２の床４ａと前記足踏み段部４ｂとが構成される。
【００１６】
具体的には、この浴室ユニット１は、図２に示すように、平面視が、略矩形形状をしており、その長手方向に、洗い場２と、足踏み段部４ｂと、浴槽３とが、順に並んでいる。そして、洗い場２の床４ａは、平面視が、略台形形状をしている。すなわち、洗い場２の床４ａから足踏み段部４ｂに移る立上り部４ｃは、床部４を斜めに横切るようにほぼ直線的に延びている。そして、洗い場２の床４ａの台形形状の底辺に相当する側に出入口６が設けられている。また、洗い場２には、シャワー設備としての、例えばシャワータワー７が備えられている。詳細には、このシャワータワー７は、浴槽３がある側とは反対側の壁面８に配備されている。こうして、洗い場２にシャワータワー７が備えられることから、この洗い場２でシャワーを浴びることができる。また、洗い場２の床４ａには、足裏の指圧効果あるいはマッサージ効果を促す凹凸９が形成されている。この凹凸９は、矩形形状をした凸部９ａが、多数、間隔を置いて四方に並び、それら凸部９ａ、９ａの間が、交差する溝状の凹部９ｂ、９ｂとなっている。そして、洗い場２の床４ａには、多数の排水孔１０ａ、１０ａが明けられた第１排水板１０が設けられ、同様に、足踏み段部４ｂには、多数の排水孔１１ａ、１１ａが明けられた第２排水板１１が設けられている。
【００１７】
防水パン５は、洗い場２の床４ａから足踏み段部４ｂに移る立上り部４ｃで分割された、洗い場２の床４ａ側の第１防水パン５ａと、足踏み段部４ｂ側の第２防水パン５ｂとを備えている。そして、この第２防水パン５ｂに前記浴槽３が配備されている。詳細には、浴槽３は、第２防水パン５ｂの上に配置される。こうして、この第２防水パン５ｂにおける、浴槽３が配置される部分を除く部分の上面が、前記足踏み段部４ｂとなっている。そして、これら第１防水パン５ａと第２防水パン５ｂとが合わせられる目地５ｃには、目地材Ｍが詰められる（図５参照）。
【００１８】
さらに、図３および図４に示すように、第２防水パン５ｂにおける、浴槽３が配置される部分には、床下改め口５ｄ、５ｄが明けられている。そして、これら床下改め口５ｄ、５ｄは、カバー１２、１２によって覆われる。また、カバー１２、１２の周囲を覆うようにして、第２防水パン５ｂには、台１３が載せられ、この台１３に、浴槽３が載せられる。こうして、浴槽３は、この台１３を介して、第２防水パン５ｂの上に配置されることとなる。また、台１３には、浴槽３の水を排水するための排水口１３ａが明けられており、同様にして、第２防水パン５ｂにも、排水口１３ａと対向する位置に、浴槽３の水を排水するための排水口５ｅが明けられている。
【００１９】
また、図５に示すように、第１防水パン５ａと第２防水パン５ｂには、互いの相対的な位置を決めるための位置決め手段Ｐが設けられている。この位置決め手段Ｐは、立上り部４ｃにおける、第１防水パン５ａと第２防水パン５ｂとが上下に重なる部分に設けられており、第１防水パン５ａ側に形成された係合凸部５ｆと、第２防水パン５ｂ側に形成されて、前記係合凸部５ｆと係合する係合凹部５ｇとからなる。勿論、位置決め手段Ｐは、前記と反体に、第１防水パン５ａ側に形成された係合凹部と、第２防水パン５ｂ側に形成されて、前記係合凹部と係合する係合凸部とからなっていてもよく、一般に位置決めされる構造であればどのような構造であってもよい。そして、第１防水パン５ａにおける、前記立上り部４ｃ側の、下端部には、補強部材としての、アングル材１４が配備されている。なお、図中１５は、窓であり、１６は、カウンターである。
【００２０】
次に、以上の構成からなる浴室ユニット１および防水パン５の作用効果について説明する。この浴室ユニット１によると、洗い場２と浴槽３との間に、洗い場２の床４ａよりも高くなった足踏み段部４ｂが設けられており、洗い場２で体を洗った際に（例えは、シャワーを浴びた際に）、洗い場２の床４ａに落ちた石鹸の泡や水は、洗い場２の床４ａよりも高くなった足踏み段部４ｂに流れ込むことはなく、浴槽３の回りを清潔に保つことができる。そして、洗い場２で体を洗った後に浴槽３に入る際には、この足踏み段部４ｂに一端乗ってから、浴槽３に入ることとなる。したがって、洗い場２において、その洗い場２の床４ａに残った石鹸の泡や水が、足裏に付いていても、足踏み段部４ｂに一端乗ることで、その泡や水をある程度落とすことができる。そして、足裏から、泡や水が落ちた状態で、浴槽３に入ることができる。このように、足踏み段部４ｂに一端乗ることで、簡単に足裏に付いた石鹸の泡や水を落して、浴槽３に入ることができる。しかも、足踏み段部４ｂが、洗い場２側と浴槽３側との境界部分のほぼ全体に渡って設けられることから、洗い場２から浴槽３に入る際には、洗い場２のどの位置からでも、足踏み段部４ｂに一端乗ってから浴槽３に入ることができる。
【００２１】
そして、浴室ユニット１の床部４を形成する防水パン５は、第１防水パン５ａと第２防水パン５ｂとに分割されており、これにより、この防水パン５の搬送や搬入が容易となる。しかも、この防水パン５は、洗い場２の床４ａ側の第１防水パン５ａと、足踏み段部４ｂ側の第２防水パン５ｂとに、洗い場２の床４ａから足踏み段部４ｂに移る立上り部４ｃで分割されており、その分割部分に水が溜まることがない。したがって、防水パン５の防水性を、容易に確保することができる。その上、図５に示すように、第１防水パン５ａと第２防水パン５ｂとは、位置決め手段Ｐによって、互いの位置合わせが容易となり、防水パン５（第１防水パン５ａと第２防水パン５ｂ）の設置、つまりは、この浴室ユニット１の施工が簡単化される。また、浴槽３が、第２防水パン５ｂの上に配置されることから、浴槽３回りの防水性を、この第２防水パン５ｂによって容易に確保することができる。
【００２２】
また、洗い場２の床４ａには、凹凸９が形成されており、この凹凸９によって、洗い場２で体を洗う際に、足裏の指圧効果やマッサージ効果が期待できる。特に、人が立った状態でシャワーを浴びているときには、この凹凸９による足裏への刺激が増し、足裏の指圧効果やマッサージ効果が促進される。
【００２３】
なお、本発明は、上述した実施の形態に限定されるわけではなく、その他種々の変更が可能である。例えば、洗い場２には、シャワータワー７が備えられているが、このシャワータワー７に替わって、あるいはシャワータワー７に加えて、洗い場水栓が備えられてもよい。
【００２４】
また、足踏み段部４ｂは、洗い場２側と浴槽３側との境界部分のほぼ全体に渡って設けられなくとも、一部に設けられてもよい。
【００２５】
また、浴槽３は、防水パン５（詳細には、第２防水パン５ｂ）の上に配置される、据置式でなくとも、半埋込み式あるいは埋込み式であってもよい。
【００２６】
また、洗い場２の床４ａから足踏み段部４ｂに移る立上り部４ｃは、床部４を斜めに横切るようにほぼ直線的に延びなくとも、真直ぐ横切るように延びてもよく、また、アール形状等、曲線的に延びていてもよい。また、この立上り部４ｃは、洗い場２の床４ａから、斜め上方に立ち上がるものであっても、鉛直方向に立ち上がるものであってもよい。また、この立上り部４ｃに、中間の段部が設けられてもよい。
【００２７】
また、床部４は、防水パン５によって形成されているが、現場施工によって形成されてもよい。
【００２８】
【発明の効果】
以上、詳述したところから明らかなように、この発明に係る浴室および防水パンによれば、次の効果がある。
【００２９】
請求項１または２に記載された浴室、および請求項９に記載された防水パンによれば、洗い場において、石鹸の泡や水が足裏に付いていても、足踏み段部に一端乗ることで、その泡や水をある程度落とすことができ、このように、足踏み段部に一端乗ることで、簡単に足裏に付いた石鹸の泡や水を落して、浴槽に入ることができる。
【００３０】
また、請求項３に記載された浴室によれば、請求項１または２の効果に加えて、足踏み段部が、洗い場側と浴槽側との境界部分のほぼ全体に渡って設けられることから、洗い場から浴槽に入る際には、洗い場のどの位置からでも、足踏み段部に一端乗ってから浴槽に入ることができる。
【００３１】
また、請求項４に記載された浴室によれば、請求項１ないし３のいずれか１項の効果に加えて、床部が防水パンによって形成されることで、この防水パンによって、洗い場の床と足踏み段部とを構成することができる。
【００３２】
また、請求項５に記載された浴室によれば、請求項４の効果に加えて、防水パンが分割されることで、この防水パンの搬送や搬入が容易となり、しかも、この防水パンは、洗い場の床から足踏み段部に移る立上り部で分割されており、その分割部分に水が溜まることがなく、防水パンの防水性を、容易に確保することができる。
【００３３】
また、請求項６に記載された浴室によれば、請求項５の効果に加えて、分割された第１防水パンと第２防水パンとは、位置決め手段によって、互いの位置合わせが容易となり、この浴室の施工を簡単に行うことができる。
【００３４】
また、請求項７に記載された浴室によれば、請求項５または６の効果に加えて、浴槽が第２防水パンの上に配置されることから、浴槽回りの防水性を容易に確保することができる。
【００３５】
また、請求項８に記載された浴室によれば、請求項１ないし７のいずれか１項の効果に加えて、洗い場で、体を洗う際に、床に形成された凹凸によって、足裏の指圧効果やマッサージ効果が期待できる。
【図面の簡単な説明】
【図１】この発明に係る浴室および防水パンの一実施の形態の、概略図である。
【図２】同じく、平断面図である。
【図３】同じく、防水パンの平面図である。
【図４】同じく、図３におけるＡ−Ａ線による拡大断面図である。
【図５】同じく、図４におけるＢ部拡大断面図である。
【符号の説明】
１　浴室ユニット（浴室）　　　　　２　洗い場
３　浴槽　　　　　　　　　　　　　４　床部
４ａ　洗い場の床　　　　　　　　　４ｂ　足踏み段部
４ｃ　立上り部　　　　　　　　　　５　防水パン
５ａ　第１防水パン　　　　　　　　５ｂ　第２防水パン
５ｆ　係合凸部（位置決め手段）　　５ｇ　係合凹部（位置決め手段）
７　シャワータワー（シャワー設備）
９　凹凸
Ｐ　位置決め手段
【図１】
2004052219.tif 000003
【図２】
2004052219.tif 000004
【図３】
2004052219.tif 000005
【図４】
2004052219.tif 000006
【図５】
2004052219.tif 000007